(57)【要約】【課題】  時間で録画された放送内容のその後の編集や再生時に取り扱い易く記録するデジタル放送の記録方法とそのデジタル放送受信装置を提供する。【解決手段】  複数のデジタル放送番組からチャンネルを選択して自動的に記録媒体に記録するデジタル放送の記録方法において、所望のチャンネルの放送内容を時間帯を指定して記録を指定した場合、当該時間帯内の所望チャンネルの放送内容を、その放送番組の内容に基づいて複数に分割して記録することにより、その後の編集や再生時に取り扱いを、時間帯だけで行なったにもかかわらず、番組毎に行なうことが出来きることとなり、操作性を改善する。【選択図】      図１
2005167782.tif 000002
【特許請求の範囲】
【請求項１】
複数のデジタル放送番組からチャンネルを選択してに記録媒体に記録するデジタル放送の記録方法において、所望のチャンネルの放送内容を時間帯を指定して記録を指定した場合、当該時間帯内の所望チャンネルの放送内容を、その放送番組の内容に基づいて複数に分割して記録することを特徴とするデジタル放送の記録方法。
【請求項２】
前記請求項１に記載したデジタル放送の記録方法において、前記時間帯内での所望チャンネルの放送内容の記録後、当該記録内容を表示する場合、当該複数に分割されて記録された放送番組の内容に基づいて表示することを特徴とするデジタル放送の記録方法。
【請求項３】
前記請求項１に記載したデジタル放送の記録方法において、当該所望のチャンネルにおける放送内容の記録指定は、現在時刻を含む時間帯の指定、又は、将来の所望の時刻から開始する予約を含むことを特徴とするデジタル放送の記録方法。
【請求項４】
前記請求項１に記載したデジタル放送の記録方法において、前記デジタル放送の記録には、ハードディスクドライブを利用し、当該時間帯内の所望チャンネルの放送内容を、放送番組の内容に基づいて複数のファイルに分割して記録することを特徴とするデジタル放送の記録方法。
【請求項５】
受信した複数のデジタル放送番組に所定の処理をしてデジタル放送信号を生成するフロントエンド部と；前記フロントエンド部において生成されたデジタル放送信号から所望のデジタル放送信号を選択して取り出す放送信号選択部と；前記放送信号選択部において選択して取り出されたデジタル放送信号を記録する記録媒体を含む放送信号記録部と；前記放送信号選択部に対し、複数のデジタル放送番組から所望のチャンネルを指定して、当該所望のチャンネルの放送内容を、前記放送信号記録部の記録媒体に記録させる記録指定手段とを備えたデジタル放送受信装置において、前記放送信号記録部は、前記記録指定手段による所望チャンネルの放送内容の記録が時間帯で指定された場合には、当該時間帯内の所望チャンネルの放送内容を、その放送番組の内容に基づいて複数に分割して記録することを特徴とするデジタル放送受信装置。
【請求項６】
前記請求項１に記載したデジタル放送受信装置において、更に、前記放送信号選択部において選択されて取り出されたデジタル放送信号の一部に挿入された情報に基づいて、前記放送番組の内容を判定する手段を備えていることを特徴とするデジタル放送受信装置。
【請求項７】
前記請求項６に記載したデジタル放送受信装置において、前記放送番組内容判定手段は、更に、前記デジタル放送信号の一部に挿入された情報に基づいて、前記放送内容の記録時間帯を延長する機能を有していることを特徴とするデジタル放送受信装置。
【請求項８】
前記請求項１に記載したデジタル放送受信装置において、前記放送信号記録部の記録媒体はハードディスクドライブを含んでおり、かつ、当該ハードディスクドライブに記録される放送内容は、デジタル信号であることを特徴とするデジタル放送受信装置。
【請求項９】
前記請求項１に記載したデジタル放送受信装置において、更に、前記放送信号記録部は、前記選択されたデジタル放送信号をアナログ映像信号に変換するデコーダと、当該デコーダで変換されたアナログ映像信号をデジタル信号に変換して前記記録媒体に記録するためのエンコーダとを備えていることを特徴とするデジタル放送受信装置。
【請求項１０】
前記請求項１に記載したデジタル放送受信装置において、更に、前記前記映像信号記録部の記録媒体に複数に分割して記録された所望チャンネルの放送内容を表示する表示部を備えていることを特徴とするデジタル放送受信装置。
【発明の詳細な説明】
【技術分野】
【０００１】
本発明は、デジタル放送により送られるＡＶ（オーディオ・ビデオ）コンテンツを取り扱うための装置及びその方法に関し、特に、ＨＤＤ等の情報記録媒体を内蔵したデジタル放送受信装置、及び、かかる装置におけるデジタル放送の記録方法に関する。
【背景技術】
【０００２】
近年、放送衛星、通信衛星などによる放送、更には、地上波による放送おいても、従来のアナログ方式のテレビジョン放送に代わって、所謂、デジタル方式のテレビジョン放送が普及しつつあり、一般の家庭においても、かかるデジタル放送を受信するためシステムが普及してきている。なお、かかるシステムにおいては、従来のアナログ放送に比較して、多数のチャネルを確保することが可能であることから、極めて多くの数の番組が放送されている。
【０００３】
かかるシステムにおいては、上述したように、極めて多くの数の番組が放送されることから、その中から迅速に所望の番組を選択することを可能にするため、ＥＰＧ(Electrical Program Guide)と呼ばれる電子番組ガイドが、例えば、下記の特許文献１などにより、既に提案されており、また、その改良案が、例えば、下記の特許文献２などにより提案されている。
【０００４】
一方、かかるシステムにおいては、その放送番組の数の多さからも、放送により送られたコンテンツ（例えば、映像・音声による番組、データ放送による番組、データ放送によるデータを含む）を、例えば、内蔵した記憶手段に記憶することが可能な放送受信装置も、例えば、以下の特許文献３により、既に、知られている。なお、この特許文献３には、所謂、番組を予約する際に用いる番組表示に関し、その操作性や操作感覚を改善するための技術を開示するものである。
【０００５】
また、以下の特許文献４には、装置内に内蔵したハードディスクドライブ（ＨＤＤ）等を利用して、上記のようなＡＶコンテンツを取り扱うための装置が開示されており、特に、この文献では、かかる装置において記録されたコンテンツの移動（ＭＯＶＥ）を、その途中での電源の中断等にもかかわらず、確実に対応するための技術を開示している。
【特許文献１】特開平６−３２５９４０号公報
【特許文献２】特開平８−２８９２０１号公報
【特許文献３】特開平９−２７０９６９号公報
【特許文献４】特開２００２−３００５１７号公報
【発明の開示】
【発明が解決しようとする課題】
【０００６】
上述したように、近年におけるデジタル放送の普及に伴って、特に、放送番組の予約における番組の表示や操作性に関しては、上記の特許文献２や特許文献３にも知られるように、種々の提案がなされ、その操作性が著しく改善されてきている。ところで、これらの改良は、主に、放送の内容である番組をロゴなどを用いて直感的に選択可能にし、或いは、その内容の詳細情報を表示する正式番組表示欄を常に画面の一部に表示することにより、予約番組の確認を確実にするものであり、しかしながら、かかる番組による記録予約に代えて、例えば、時間帯（現在時刻を含めて、未来における所望の時刻から開始し、その後、未来における所望の時刻において終了する）による記録予約については、未だ、以下のような問題点があった。
【０００７】
すなわち、通常、放送番組による記録予約は、例えば、上記のＥＰＧと呼ばれる電子番組ガイドによっても、せいぜい１週間程度先までの予約が可能であるものであり（一般的に、番組表は、１週間先までのデータしかない）、そのため、それ以上先（未来）における記録予約に対応することは出来ない。そのため、例えば１週間以上先の番組に対する記録予約は、上記した時間帯による記録予約を行なう必要がある。また、操作者によっては、特に番組の内容に関係なく、あるいは、そのための操作の煩雑さを理由として、所望のチャンネルに対し（を指定して）、所望の時間帯だけを設定して記録予約を行なうことがある。
【０００８】
しかしながら、このように、所望のチャンネルに対し（を指定して）所望の時間帯だけ記録予約を行なった場合、例えば上記ＨＤＤ内に記録される番組データは、１個のファイルとして記録・保存されることとなり、これでは、その後に操作者が編集作業を行なう場合等において、その取り扱いが不便であるという問題点があった。すなわち、かかる所望の時間帯（通常、数時間）内において、複数の番組が放送されていた場合、その後の編集作業では、これら複数の番組を各個別の番組毎に編集し直し、その結果、不必要な番組を削除する等。
【０００９】
そこで、本発明では、上述した従来技術における問題点を解消し、すなわち、複数のデジタル放送番組からチャンネルを選択して自動的に記録媒体に記録することが可能なデジタル放送受信装置において、所望のチャンネルの放送内容を時間帯だけを指定して記録を指定した場合にも、その後、この記録された放送内容を取り扱い易くし、もって、記録された放送内容のその後の操作性を改善することが可能なデジタル放送受信装置、そして、かかる装置にけるデジタル放送の記録方法を提供することを目的とする。
【課題を解決するための手段】
【００１０】
本発明によれば、上記の目的を達成するため、まず、複数のデジタル放送番組からチャンネルを選択して記録媒体に記録するデジタル放送の記録方法において、所望のチャンネルの放送内容を時間帯を指定して記録を指定した場合、当該時間帯内の所望チャンネルの放送内容を、その放送番組の内容に基づいて複数に分割して記録するデジタル放送の記録方法が提供される。
【００１１】
なお、本発明によれば、前記のデジタル放送の記録方法において、前記時間帯内での所望チャンネルの放送内容の記録後、当該記録内容を表示する場合、当該複数に分割されて記録された放送番組の内容に基づいて表示してもよく、又は、当該所望のチャンネルにおける放送内容の記録指定は、現在時刻を含む時間帯の指定、又は、将来の所望の時刻から開始する予約を含むものであってもよく、更には、前記デジタル放送の記録には、ハードディスクドライブを利用し、当該時間帯内の所望チャンネルの放送内容を、放送番組の内容に基づいて複数のファイルに分割して記録するものであってもよい。
【００１２】
加えて、本発明によれば、やはり上述した目的を達成するため、受信した複数のデジタル放送番組に所定の処理をしてデジタル放送信号を生成するフロントエンド部と；前記フロントエンド部において生成されたデジタル放送信号から所望のデジタル放送信号を選択して取り出す放送信号選択部と；前記放送信号選択部において選択して取り出されたデジタル放送信号を記録する記録媒体を含む放送信号記録部と；前記放送信号選択部に対し、複数のデジタル放送番組から所望のチャンネルを指定して、当該所望のチャンネルの放送内容を、前記放送信号記録部の記録媒体に記録させる記録指定手段とを備えたデジタル放送受信装置において、前記放送信号記録部は、前記記録指定手段による所望チャンネルの放送内容の記録が時間帯で指定された場合には、当該時間帯内の所望チャンネルの放送内容を、その放送番組の内容に基づいて複数に分割して記録するデジタル放送受信装置が提供される。
【００１３】
そして、本発明によれば、前記のデジタル放送受信装置において、更に、前記放送信号選択部において選択されて取り出されたデジタル放送信号の一部に挿入された情報に基づいて、前記放送番組の内容を判定する手段を備えていてもよく、前記放送番組内容判定手段は、更に、前記デジタル放送信号の一部に挿入された情報に基づいて、前記放送内容の記録時間帯を延長する機能を有してもよい。また、本発明によれば、前記放送信号記録部の記録媒体はハードディスクドライブを含んでおり、かつ、当該ハードディスクドライブに記録される放送内容は、デジタル信号であることが好ましく、更には、前記放送信号記録部は、前記選択されたデジタル放送信号をアナログ映像信号に変換するデコーダと、当該デコーダで変換されたアナログ映像信号をデジタル信号に変換して前記記録媒体に記録するためのエンコーダとを備えていることが好ましい。そして、本発明によれば、
更に、前記前記映像信号記録部の記録媒体に複数に分割して記録された所望チャンネルの放送内容を表示する表示部を備えていることが好ましい。
【発明の効果】
【００１４】
上記のように、本発明になるデジタル放送受信装置及びそのデジタル放送の記録方法によれば、所望のチャンネルの放送内容を時間帯だけを指定して記録を指定した場合にも、その放送番組の内容に基づいて複数に分割して記録されることから、時間帯だけで行なったにもかかわらず、記録された内容がその番組毎に分割されていることから、その後の記録内容の取り扱い性が向上され、かつ、その操作性を改善することが可能となる。
【発明を実施するための最良の形態】
【００１５】
以下、本発明の実施の形態について、添付の図面を用いて詳細に説明する。
まず、添付の図２は、本発明の一実施の形態になるデジタル放送受信装置の構成の一例を示すブロック図であり、この図において、符号１００は、デジタル放送を受信して、その放送内容（映像・音声による番組、データ放送による番組、データ放送によるデータを含む）を、例えば、プラズマディスプレイパネルや液晶ディスプレイパネルなど、所謂、フラットパネルディスプレイ（ＦＰＤ）２００上に表示するＡＶ機器（デジタル放送受信装置）を示している。
【００１６】
図２において、符号１１０は、放送されたデジタル放送を受信するためのパラボラアンテナを示しており、このアンテナ１１０からのＲＦ信号は、上記デジタル放送受信装置１００においてチューナモジュール（又は、フロントエンド）１２０を構成するチューナ１２１に供給されて復調される。このチューナ１２１の出力は、やはりチューナモジュール１２０を構成する、例えば、ＱＰＳＫ復調回路１２２に供給され、これによりＱＰＳＫ復調が行なわれる。その後、このＱＰＳＫ復調回路１２２の出力は、やはり上記チューナモジュール１２０を構成するエラー訂正回路１２３に供給され、ここで、伝送中に生じたエラーが検出されて訂正が行なわれる。すなわち、このチューナモジュール１２０は、指定された周波数の信号を選局し、ＴＳ（トランスポートストリーム）を抽出する。
【００１７】
デマルチプレクサ１２４は、上記チューナモジュール１２０のエラー訂正回路１２３から出力される信号を入力し、データバッファメモリ（ＤＲＡＭ(Dynamic Random Access Memory)又はＳＲＡＭ(Static Random Access Memory)１２５に一旦記憶した後、適宜これを読み出して解読し、この解読した映像・音声信号をＭＰＥＧデコーダ１２６に供給する。すなわち、このデマルチプレクサ１２４におけるデマルチプレックス処理は、送信側における多重装置（ＭＵＸ）において映像や音声などの複数のストリームが多重されたトランスポートストリーム（ＴＳ）から、必要なストリームを取り出す処理であり、様々なストリームのパケットの中から、必要とするストリームを取り出すための、所謂、フィルタリングを行なう。すなわち、あるチャンネルに選局した場合、そのチャンネルのＰＭＴには、そのチャンネルのサービスを構成する映像や音声ストリームのＰＩＤ（パケットＩＤ）が指定されており、そこで、受信器側では、そのＰＩＤのパケットをフィルタリングして、映像や音声のストリームを取り出すことで、番組を提示することが出来る。また、その中に含まれるＳＩ（Service Information）などのセクション形式の信号は、ＰＩＤの他にテーブルＩＤなどをも用いて取り込まれる。
【００１８】
すなわち、添付の図３にも示すように、ＴＳパケットと呼ばれる伝送単位で時分割多重して伝送されてきた信号から、所望のチャンネルのＴＳパケットを取り出してＰＥＳ(Packetized Elementary Stream)を、そして、映像や音声のストリームであるＥＳ(Elementary Stream)を構成している。なお、上記ＴＳパケットのペイロードでは、上記のような映像や音声のストリーム（ＥＳ）をパケット化したＰＥＳの他に、セクションと呼ばれる形式のデータも格納されて伝送されている。なお、このＥＰＧとして表示される情報には、番組配列情報（ＳＩ：Service Information）や選局のための種々の情報が含まれており、さらに、このＳＩは、ＥＩＴ(Event Information Table)やＳＤＴ(Service Description Table)等、番組やサービスの情報を記述したセクション形式のデータで構成されている。
【００１９】
なお、上記ＥＩＴの具体的な構成を、添付の図４に示す。図において、各event descriptorsには、記述するイベント（番組）の識別番号を提供するevent_id(2)が配置され、その次に、イベントの開始時刻をＵＴＣとＭＪＤ表示するstart_time(5)が配置されている。その次のduration(3)は、イベント（番組）の継続時間を、時、分、秒で表示している。このように、ＴＳパケットにより伝送されてデマルチプレクサ１２４で取り出された映像や音声のストリームの一部である、番組配列情報ＳＩのＥＩＴ情報を利用することによれば、取り出された番組を、その内容毎に、個別に識別することが可能である。
【００２０】
一方、再び、上記図２に戻り、上記のデマルチプレクサ１２４には、更に、ＣＰＵ、ＲＯＭ及びＲＡＭ等を内蔵するＩＣカードにより構成されたＣＡＭ(Conditional Access Module)１３０を挿入して、そこに記憶されたキーを読み出すためのカードリーダインターフェース（Ｉ／Ｆ）１３１が接続されている。即ち、このＩＣカード１３０には、暗号を解読するために必要なキーが、解読プログラムと共に格納されており、例えば、有料放送などスクランブルを掛けて伝送された信号を提示するため、所謂、デスクランブル処理を行なうためのものである。なお、ここでは、カードリーダＩ／Ｆ１３１を介してＣＡＭ１３０からこのキーが読み出され、デマルチプレクサ１２４に供給され、もって、デマルチプレクサ１２４はこのキーを利用して、暗号化された信号を解読する。
【００２１】
次に、上記のデマルチプレクサ１２４で取り出された映像や音声のストリームは、ＭＰＥＧデコーダ１２６に供給され、このＭＰＥＧデコーダ１２６では、入力されたデジタル信号を内蔵したＤＲＡＭ等に適宜記憶させて、ＭＰＥＧ方式（特に、ＭＰＥＧ２）により圧縮されている映像・音声信号のデーコード（復号化）処理を行なう。その後、この復号化された映像・音声信号は、図のフォーマットコンバータ１２７を介して所定のフォーマットに変換され、例えば、プラズマディスプレイや液晶ディスプレイ等の所謂フラットパネルディスプレイ（ＦＰＤ）２００へ出力され、又は、ＮＴＳＣコンバータ１２８、Ｄ／Ａコンバータ１２９等を介してＮＴＳＣ映像信号及びアナログ音声信号に変換され、所定のインターフェースを介して、例えば、ＣＲＴ、ＶＣＲ、ＤＶＤレコーダ等の外部機器へ出力されることとなる。
【００２２】
また、上記図２において、上記デジタル放送受信装置１００内には、ＣＰＵ(Central Processor Unit)１３０が設けられており、このＣＰＵは、ＲＯＭ１３１内に記憶されているプログラムに従って、各種の処理を実行する。例えば、上記チューナモジュール１２０を構成するチューナ１２１、ＱＰＳＫ復調回路１２２、エラー訂正回路１２３等を制御する。また、赤外線制御信号を発生し又は受信するＩＲ送受信部１３５を備えており、上記ＣＰＵは、このＩＲ送受信部介して、他のＡＶ機器に所定の制御信号を出力し、又は、他のＡＶ機器からの制御信号を受信する。
【００２３】
このＣＰＵ１３０に対しては、装置のフロント面に設けられたフロントパネル１３６の各種の操作ボタンスイッチを操作することにより、各種の指令を直接入力することもできる。また、これとは別に、所謂、リモートコントローラ１４０が設けられており、このリモートコントローラの各種のボタンを操作することによっても各種の指令を入力することが出来、この入力信号は、上記リモートコントローラの先端部に設けられたＩＲ発信部から赤外線として上記ＩＲ送受信部１３２へ出射される。この入力信号は、上記ＣＰＵ１３０に対して入力され、もって、このリモートコントローラを操作することによっても、ＣＰＵに対して所定の指令を入力することが出来る。
【００２４】
そして、上記図２では、更に、上記デジタル放送受信装置１００内に、番組のコンテンツ（映像・音声情報）を記録するため、ハードディスクドライブ（ＨＤＤ）１５０を内蔵している。なお、このＨＤＤ１５０内に記録されるデータは、上記ＭＰＥＧデコーダ１２６で復号化された映像・音声信号を、再び、ＭＰＥＧエンコーダ１５１においてデジタル信号として圧縮し、その後、所定の記録処理を実行してデータの記録を行なうＨＤＤ処理回路１５２を介して、上記ＨＤＤ１５０内に記録する。また、図に矢印で示すように、上記ＭＰＥＧデコーダ１２６で復号化された映像・音声信号がこのＨＤＤ処理回路１５２に直接入力されると共に、また、一旦記録した情報を再生する場合には、上記ＨＤＤ１５０から読み出された圧縮信号は、このＨＤＤ処理回路１５２を介して、再び、上記ＭＰＥＧデコーダ１２６へ入力される。すなわち、映像・音声信号のデコード（復号化）処理を行ない、この復号化された映像・音声信号は、フォーマットコンバータ１２７を介して所定のフォーマットに変換されてフラットパネルディスプレイ（ＦＰＤ）２００へ出力され、再生され、又は、ＶＣＲ、ＤＶＤレコーダ等の外部機器へ出力される。
【００２５】
次に、上記にその構成について詳細に説明した本発明になるデジタル放送受信装置１００における動作、特に、デジタル放送の記録動作について、以下に詳細に説明する。なお、以下の説明では、予約したいチャンネル、開始・終了時刻、日付などを直接指定して予約する（即ち、番組の内容を指定せず、所望のチャンネルについて所望の時間帯だけを指定した録画）、所謂、マニュアル予約について説明する。
【００２６】
このマニュアル予約は、添付の図５にその詳細を示した、操作を実行するための各種の指令を入力するリモートコントローラ１４０を利用して行なう。まず、リモートコントローラ１４０上部に設けられ、複数の扇形のスイッチを円環状に配列したスイッチの中から、「べんり」ボタン１４１を押す。これにより、上記ＦＰＤ２００の表示画面上には、「予約一覧」を含めた複数の画面が表示され、そこで、上記扇形スイッチを円環状に配列したスイッチの中心部に配置した「決定スイッチ」１４２を移動しながら上記「予約一覧」を選択する。これにより、上記ＦＰＤ２００の表示画面上には、添付の図６に示す「予約一覧」の画面が表示される。すなわち、操作者は、この「予約一覧」の画面上で、所望のチャンネルについて所望の時間帯を指定した録画を予約することが出来る。なお、この例では、１０月２６日（金曜日）、午前１０時３５分から午前１１時３５分までの時間帯で、ＢＳ１８１チャンネル３５を、録画先であるＨＤＤ（ハードディスクドライブ）へ、主音声と副音声と共に記録することが予約されている。
【００２７】
また、デジタル放送の記録に関しては、上記の以外の画面を利用して予約してもよいことは当然であろう。或いは、その他、例えば、上記リモートコントローラ１４０の下部に配置された「録画」ボタン１４３を押して録画を介して、その後、「停止」ボタン１４４を押して録画を行なってもよい。なお、ここでは具体的には説明しないが、その際には、録画の終了時だけを予約しておくとことも可能である。
【００２８】
次に、上記に説明した、番組の内容を指定せず、所望のチャンネルについて所望の時間帯だけを指定した録画を行なった場合における、上記デジタル放送受信装置１００における動作について、添付の図１に示すフローチャートを参照しながら詳細に説明する。
【００２９】
まず、予約録画の場合について説明する。すなわち、予約した録画予約開始時刻になると、装置は、自動的に予約録画動作を開始する（ステップＳ１０）。この予約録画動作の開始に伴って、録画ファイルの作成を開始する（ステップＳ１１）。その後、この作成した録画ファイル内に、指定されたチャンネルの映像・音声信号を、放送記録部であるＨＤＤ１５０へ記録する。具体的には、上記ＭＰＥＧデコーダ１２６で復号された信号を、再度、上記ＭＰＥＧエンコーダ１５１で圧縮した信号を、ＨＤＤ処理回路１５２を介して記録する。それと同時に、本発明では、上記の映像・音声のストリーム内に含まれる番組配列情報（ＳＩ）のＥＩＴ情報を画像番組情報として取得する（ステップＳ１２）。この画像番組情報（ＥＩＴ情報）によれば、放送番組の同一性を識別することが可能となる。即ち、上記ＨＤＤ１５０へ記録中の番組の映像・音声信号が、同一の番組のものであるか、或いは、他の番組の映像・音声信号に変わった（先の番組が終了したか）を判定することが出来る。
【００３０】
次に、終了時刻判定を行なう（ステップＳ１３）。ここでは、上記ステップＳ１２において録画していた番組が終了した場合、すなわち、画像番組情報（ＥＩＴ情報）によれば他の番組の映像・音声信号にとなった場合には、その番組終了時刻が予約された録画終了時刻より前であるか否かを判定する。なお、番組を指定した録画予約においては、通常、この番組終了時刻で録画を終了することとなる。ここでは、しかしながら、設定された時間帯で録画を行なうことから、その番組が終了した時刻が予約した終了した時刻の前である（「はい」）と判断された場合には、それまで行なった番組の録画を終了し、それと同時に、その録画ファイルを閉じる（ステップＳ１４）。すなわち、録画しているチャンネルの番組が終了した時点において、その録画ファイルを閉じることとなる。なお、この例では、より詳細には、上記ステップＳ１４では、録画番組の終了時刻が上記予約終了時刻より前か否かを判定しており、これにより、丁度、予め設定された時間帯内で終了しなかった場合には、当該番組が終了するまで待って録画動作を終了するようにしている。
【００３１】
その後、処理は、再び、上記ステップＳ１１へ戻り、新たに、録画ファイルの作成を開始する（ステップＳ１１）。その後、上記のステップＳ１２、ステップＳ１３を実行し、上記の処理を、予め予約された予約終了時刻まで続けることとなる。そして、上記ステップＳ１３において「いいえ」、即ち、予め設定された時間帯を経過した後に、その録画ファイルを閉じ（ステップＳ１５）、もって、予約録画動作を終了する（ステップＳ１６）。なお、ここでも、上述と同様に番組の終了を待って録画動作を終了する場合には、当該録画中の番組の記録を終了した後に予約録画動作を終了する。
【００３２】
以上に説明した本発明になるデジタル放送受信装置１００の動作における、特に、所望のチャンネルについて所望の時間帯だけを指定した録画を行なった場合の動作を、添付の図７を参照しながら説明する。
【００３３】
すなわち、図７において、ある所望のチャンネルについて、録画時刻を、ｔ１〜ｔ２の時間帯で設定した場合、当該チャンネルにおける番組の内容が、その時間帯の中で、例えば番組Ａから番組Ｂに変った場合、更には、特に、番組Ｂが設定した時間帯ｔ１〜ｔ２を多少延長して放送された場合を考える。すなわち、上記の本発明になるデジタル放送受信装置１００における記録方法によれば、図からも明らかなように、その録画予約画設定されたチャンネルにおいて、その放送番組が変った場合には、上記放送記録部であるＨＤＤ１５０に記録される放送内容（映像・音声データ）は、それぞれ異なるファイル（ファイルＡ、ファイルＢ）内に記録されることとなる。また、かかる場合において、最後に記録された放送が設定した終了時刻を越えて放送された場合にも、例えば、図の番組Ｂのように、当該番組Ｂが終了されるで、上記のファイルＢ内に記録されることとなる。
【００３４】
上記のように、所望のチャンネルについて所望の時間帯だけを指定した録画を行なった映像・音声データは、それぞれ異なる番組毎に分割してファイル（ファイルＡ、ファイルＢ）内に記録されることとなるが、続いて、これら各ファイル内に記録された映像・音声データを再生する場合の動作について、添付の図８〜１０を参照しながら説明する。
【００３５】
まず、添付の図８には、上記のようにして録画された映像・音声データを再生しようとする場合、録画された番組を、所謂、上記ＦＰＤ２００の表示画面上にサムネイル表示する場合を示している。なお、この場合、上記図４に示したリモートコントローラ１４０の「録画番組」ボタン１４５を選択することにより表示される。これによれば、例えば、チャンネルＢＳ１８１において、２００３年１０月２６日（金曜日）の所望の時間帯（ＡＭ１０：３５〜ＡＭ１１：３５）を指定して録画予約を行なった場合、当該時間帯に放送された２つの番組（番組名ＡとＢ）は、それぞれ、個別のファイル（ファイルＡ、ファイルＢ）に記録され、かつ、その後の録画データの再生の際にも、個別のサムネイルにより、別個に表示されることとなる。なお、このサムネイルによる録画番組の表示において、各サムネイルに表示される映像を動画とすることも可能である。
【００３６】
また、添付の図９は、上記の記録された２つの番組（番組名ＡとＢ）の個別のファイル（ファイルＡ、ファイルＢ）を、やはり、上記と同様に、個別の番組に分けて、カレンダー形式の録画表示した場合の、上記ＦＰＤ２００の表示画面の例を示している。すなわち、図の横方向に示した日付の下に示された枠内に、録画されたチャンネルの内容が、その番組名により、図の左側に表示された時間帯に対応して表示される。また、添付の図１０は、リスト形式の録画表示した場合の例を示している。なお、このように、当該時間帯に放送された所望のチャンネルで放送された複数の番組を、それぞれ、個別のファイルに記録することによれば、記録の後、録画データを再生しようとする場合、その番組毎に別個に表示することが可能となり、操作者にとって、便利である。また、録画データを再生だけに限らず、録画後にそのデータ編集をしようとする場合にも、その内容（番組名等）を容易に確認することが出来ることから、やはり、操作者にとって便利である。
【００３７】
また、添付の図１１には、上記図１に示した録画予約による動作に代え、例えば、上記図５に示したリモートコントローラ１４０の下部に配置された「録画」ボタン１４３を押することにより録画を開始した場合の動作を示している。図からも明らかように、上記図1のフローチャートに示したステップをほぼ同様であるが、しかしながら、上記ステップＳ１２を実行した後、操作者が上記リモートコントローラ１４０の「停止」ボタン１４４を押すなど、録画停止操作されたか否かを判定する（ステップＳ１３’）。その結果、停止操作がされた（「はい」）の場合には、上記ステップＳ１５へ移動して録画を停止し、他方、停止操作がされていない（「いいえ」）の場合には、上記ステップＳ１３へ移動して、上記の終了時刻判定を行なう。なお、その他のステップの内容は、上記図1のそれと同様であり、ここではその説明は省略する。
【００３８】
加えて、以上の説明では、所望のチャンネルについて所望の時間帯だけを指定した録画を行なった映像・音声データを、上記本発明になるデジタル放送受信装置１００に内蔵したＨＤＤ１５０内に記録する動作について説明した。しかしながら、本発明は、上記の他、例えば、上記図２に示したＮＴＳＣエンコーダ１２８やＤ／Ａ変換器１２９を介して、例えば、ビデオテープレコーダ（ＶＣＲ）やＤＶＤレコーダ等の外部記録装置へ記録する場合にも適用することが出来る。
【００３９】
なお、この場合には、上記ＣＰＵ１３０は、ＩＲ送受信部１３５を介して、赤外線による制御信号を外部記録装置へ送出する。すなわち、上記の図１又は図１１に示したフローチャートにおいて、ステップＳ１４の録画ファイルを閉じる動作に代えて、記録動作の停止を指示する「ＳＴＯＰ」指令を上記ＩＲ送受信部１３５送出すると共に、上記ステップＳ１１においては、録画の開始を指示する「ＲＥＣ」指令を送出する。また、上記図２には示されていないが、ＩＥＥＥ１３９４等の高速デジタルインターフェイスを採用し、デジタル記録装置に対してデジタル出力する場合であっても、同様の動作にて、映像信号を各番組毎にファイルを分けて記録することが出来る。
【００４０】
かかる動作によれば、所望のチャンネルについて所望の時間帯だけを指定した録画を行なった場合にも、上記と同様に、チャンネルで放送された映像・音声信号を記録する際、所望の時間内で放送された各番組の終了時と開始時において、それぞれ、記録開始と終了の動作が行なわれることとなる。そして、これによれば、例えば、ビデオテープレコーダ（ＶＣＲ）では、各番組の最初に、当該番組の開始を示すための区切りを示す信号が記録されるため、その後、その記録した内容を編集する場合に都合がよい。また、ＤＶＤレコーダにおいても、上記の記録開始と終了の動作により、光ディスク内に記録されるセクタが分割されて記録されることとなり、やはり、その後に記録内容の編集をする場合に都合がよい。
【図面の簡単な説明】
【００４１】
【図１】本発明の実施の形態になるデジタル放送受信装置において実行されるデジタル放送の記録方法を説明するためのフロー図である。
【図２】上記本発明になるデジタル放送受信装置の内部の詳細構成を示すブロック図である。
【図３】上記デジタル放送受信装置で受信する放送データの形式やその内容を説明する図である。
【図４】上記デジタル放送受信装置で受信する放送データのうち、ＥＩＴ(Event Information Table)の具体的構成を示す図である。
【図５】上記デジタル放送受信装置において録画動作に使用されるリモートコントローラの具体的構成を示す正面図である。
【図６】上記デジタル放送受信装置において、所望のチャンネルと時間帯により録画予約を行なう際に表示される予約一覧の画面を示す図である。
【図７】上記デジタル放送受信装置において、所望のチャンネルと時間帯により録画予約を行なった場合のファイルの作成について説明する図である。
【図８】上記デジタル放送受信装置において、所望の時間帯で録画した内容を、再生動作時に、番組毎に表示する録画画面（サムネイル方式）の一例を示す図である。
【図９】上記デジタル放送受信装置において、所望の時間帯で録画した内容を、再生動作時に、番組毎に表示する録画画面（カレンダー方式）の一例を示す図である。
【図１０】上記デジタル放送受信装置において、所望の時間帯で録画した内容を、再生動作時に、番組毎に表示する録画画面（リスト方式）の一例を示す図である。
【図１１】上記デジタル放送受信装置において実行される、本発明の他の実施の形態になるデジタル放送の記録方法を説明するフロー図である。
【符号の説明】
【００４２】
１００  デジタル放送受信装置
１１０  パラボラアンテナ
１２０  チューナモジュール
１２４  デマルチプレクサ
１２６  ＭＰＥＧデコーダ
１３０  ＣＰＵ(Central Processor Unit)
１３５  ＩＲ送受信部
１４０  リモートコントローラ
１５０  ハードディスクドライブ（ＨＤＤ）
１５１  ＭＰＥＧエンコーダ
１５２  ＨＤＤ処理回路
２００  フラットパネルディスプレイ（ＦＰＤ）
【図１】
2005167782.tif 000003
【図２】
2005167782.tif 000004
【図３】
2005167782.tif 000005
【図４】
2005167782.tif 000006
【図５】
2005167782.tif 000007
【図６】
2005167782.tif 000008
【図７】
2005167782.tif 000009
【図８】
2005167782.tif 000010
【図９】
2005167782.tif 000011
【図１０】
2005167782.tif 000012
【図１１】
2005167782.tif 000013